(57)【要約】【課題】よりユーザの利便性を向上させることが出来る映像再生装置、及び映像再生方法を提供する。【解決手段】映像再生装置（１００）コンテンツのデータに基づいて映像信号を再生する再生手段（１１３、１３１）と、前記再生手段により再生される映像信号における範囲を選択する範囲選択手段（１５０）と、前記範囲選択手段により選択される範囲の映像に対して画質調整を行う画質調整手段（１５０）と、を具備する。【選択図】      図３
2011259303.tif 000002
【特許請求の範囲】
【請求項１】
コンテンツのデータに基づいて映像信号を再生する再生手段と、
前記再生手段により再生される映像信号における範囲を選択する範囲選択手段と、
前記範囲選択手段により選択される範囲の映像に対して画質調整を行う画質調整手段と、
を具備する映像再生装置。
【請求項２】
前記画質調整手段は、前記範囲選択手段により選択される範囲の映像に対してハイコントラスト処理を施す請求項１に記載の映像再生装置。
【請求項３】
前記画質調整手段は、前記範囲選択手段により選択される範囲の映像に対してエッジ強調処理を施す請求項１に記載の映像再生装置。
【請求項４】
前記再生手段により再生される映像信号の、前記範囲選択手段により選択される範囲の映像を拡大する拡大表示手段をさらに具備する請求項１に記載の映像再生装置。
【請求項５】
操作入力を受け付ける操作入力手段と、
前記再生手段により再生される映像信号の、前記範囲選択手段により選択される範囲の映像を前記操作入力手段により入力される操作信号に基づいて移動させる移動処理手段と、
をさらに具備する請求項１に記載の映像再生装置。
【請求項６】
前記範囲選択手段は、範囲を選択してから予め設定される所定時間が経過する場合に範囲の選択を解除する請求項１に記載の映像再生装置。
【請求項７】
前記範囲選択手段は、選択した範囲の映像の変化を検知する場合に範囲の選択を解除する請求項１に記載の映像再生装置。
【請求項８】
操作入力を受け付ける操作入力手段をさらに具備し、
前記範囲選択手段は、前記操作入力手段により入力される操作信号に基づいて、前記再生手段により再生される映像信号における範囲を選択する請求項１に記載の映像再生装置。
【請求項９】
前記範囲選択手段は、前記再生手段により再生される映像信号に含まれる文字を検出し、検出した文字の画像を含む範囲を選択する請求項１に記載の映像再生装置。
【請求項１０】
コンテンツのデータに基づいて映像信号を再生し、
前記再生される映像信号における範囲を選択し、
前記選択される範囲の映像に対して画質調整を行う、
映像再生方法。
【発明の詳細な説明】
【技術分野】
【０００１】
本発明の実施形態は、映像を表示する映像再生装置、及び映像再生方法に関する。
【背景技術】
【０００２】
近年、テレビジョン放送のディジタル化が推進されてきている。
【０００３】
日本国内において、ＭＰＥＧ（Ｍｏｖｉｎｇ  Ｐｉｃｔｕｒｅ  Ｅｘｐｅｒｔｓ  Ｇｒｏｕｐ）２規格から発展したＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ）規格によりディジタル放送が開始されている。
【０００４】
ＩＳＤＢ−Ｔ規格は、１ｃｈ（チャンネル）あたりの周波数帯域幅を１３セグメントに分割し、そのうちの４〜１２セグメントを用いて、標準画質（ＳＤＴＶ）、または高画質（ＨＤＴＶ）の番組（コンテンツ）を提供することができる。
【０００５】
また、１３セグメントのうちの１つのセグメントを用いて番組の一部を提供する簡易動画放送（ワンセグ放送）が開始されている。
【０００６】
このようなディジタル放送の普及に伴い、通常放送の番組と、ワンセグ放送の番組とを記録及び再生することができる映像再生装置が一般的に実用化されている。
【先行技術文献】
【特許文献】
【０００７】
【特許文献１】特開２００７−２２８１６７号公報
【発明の概要】
【発明が解決しようとする課題】
【０００８】
ワンセグ放送のコンテンツは、通常放送に比べてデータサイズが小さい。この為、ワンセグ放送の受信機能を備える携帯端末が一般的に普及している。また、ワンセグ放送の録画したコンテンツを携帯端末に移動させ、携帯端末でコンテンツを再生するという視聴方法が普及している。
【０００９】
しかし、ワンセグ放送のコンテンツは、データサイズが小さい為、解像度が低い。この為、映像に埋め込まれているテロップ（ｔｅｌｏｐ）、スーパー（Ｓｕｐｅｒ−ｉｍｐｏｓｅ）、タイトルなどの文字列の視認性が低いという問題がある。
【００１０】
また、ＳＤＴＶ、またはＨＤＴＶ相当のコンテンツであっても、文字が小さい、または映像と文字列とのコントラストが低いなどの為に視認性が低い場合がある。
【００１１】
そこで、よりユーザの利便性を向上させることが出来る映像再生装置、及び映像再生方法を提供することを目的とする。
【課題を解決するための手段】
【００１２】
一実施形態に係る映像再生装置は、コンテンツのデータに基づいて映像信号を再生する再生手段と、前記再生手段により再生される映像信号における範囲を選択する範囲選択手段と、前記範囲選択手段により選択される範囲の映像に対して画質調整を行う画質調整手段と、を具備する。
【図面の簡単な説明】
【００１３】
【図１】図１は、一実施形態に係る映像再生装置の外観について説明する為の説明図である。
【図２】図２は、図１に示す映像再生装置の構成例について説明する為の説明図である。
【図３】図３は、図２に示す制御部の構成例について説明するための説明図である。
【図４】図４は、図２に示す映像再生装置の処理について説明する為の説明図である。
【図５】図５は、図２に示す映像再生装置により出力される画面の一例について説明する為の説明図である。
【図６】図６は、図２に示す映像再生装置により出力される画面の一例について説明する為の説明図である。
【図７】図７は、図２に示す映像再生装置により出力される画面の一例について説明する為の説明図である。
【図８】図８は、図２に示す映像再生装置により出力される画面の一例について説明する為の説明図である。
【図９】図９は、図２に示す映像再生装置により出力される画面の一例について説明する為の説明図である。
【発明を実施するための形態】
【００１４】
以下、図を参照しながら、一実施形態に係る映像再生装置、及び映像再生方法ついて詳細に説明する。
【００１５】
図１は、一実施形態に係る映像再生装置１００の外観について説明するための説明図である。  
図２は、図１に示す映像再生装置１００の構成例について説明するためのブロック図である。  
映像再生装置１００は、アンテナ１１０、チューナ１１１、復調部１１２、信号処理部１１３、音声処理部１２１、音声出力端子１２２、スピーカ１２３、映像処理部１３１、表示処理部１３２、ディスプレイ１３３、制御部１５０、操作入力部１６１、受光部１６２、カードコネクタ１６４、ＵＳＢコネクタ１６６、通信インターフェース１６８、ディスクドライブ１７０、及び電源部１８０を備える。制御部１５０は、ＣＰＵ１５１、ＲＯＭ１５２、ＲＡＭ１５３、及びＥＥＰＲＯＭ１５４を備える。
【００１６】
図１に示すように、音声出力端子１２２、スピーカ１２３、ディスプレイ１３３、操作入力部１６１、受光部１６２、カードコネクタ１６４、ＵＳＢコネクタ１６６、及びディスクドライブ１７０は、映像再生装置１００の外部から操作または接続が可能な状態で設置されている。映像再生装置１００の表面には、電源部１８０にＡＣアダプタ１８１を接続する為の端子が設置される。
【００１７】
アンテナ１１０は、ワンセグ放送信号を受信する為のアンテナである。アンテナ１１０は、受信したディジタル放送信号（ワンセグ放送信号）をチューナ１１１に供給する。
【００１８】
チューナ１１１は、ディジタル放送信号用のチューナである。チューナ１１１は、アンテナ１１０から供給されるディジタル放送信号のチューニングを行う。チューナ１１１は、チューニングしたディジタル放送信号を復調部１１２に送信する。
【００１９】
復調部１１２は、受信するディジタル放送信号の復調を行う。復調部１１２は、復調したディジタル放送信号を信号処理部１１３に入力する。即ち、アンテナ１１０、チューナ１１１、及び復調部１１２は、放送信号を受信する受信手段として機能する。
【００２０】
信号処理部１１３は、放送信号（動画のコンテンツデータ）に対して信号処理を施す信号処理手段として機能する。信号処理部１１３は、復調部１１２から供給されるディジタル放送信号に、信号処理を施す。即ち、信号処理部１１３は、ディジタル放送信号を映像信号、音声信号、及びデータ信号に分離する。信号処理部１１３は、音声処理部１２１に音声信号を供給する。また、信号処理部１１３は、映像処理部１３１に映像信号を供給する。さらに、信号処理部１１３は、制御部１５０にデータ信号を供給する。
【００２１】
音声処理部１２１は、信号処理部１１３から受信した音声信号を、スピーカ１２３で再生可能なフォーマットの音声信号に変換する。音声処理部１２１は、音声信号を音声出力端子１２２、またはスピーカ１２３に出力する。音声出力端子１２２は、供給される音声信号を装置外部に出力する。また、スピーカ１２３は、供給される音声信号に基づいて音を再生する。
【００２２】
映像処理部１３１は、信号処理部１１３から受信した映像信号を、ディスプレイ１３３で再生可能なフォーマットの映像信号に変換する。映像処理部１３１は、映像信号を表示処理部１３２に出力する。
【００２３】
表示処理部１３２は、制御部１５０からの制御に応じて、ＧＵＩ（Ｇｒａｐｈｉｃａｌ  Ｕｓｅｒ  Ｉｎｔｅｒｆａｃｅ）画面などを表示するためのＯＳＤ信号を生成する。表示処理部１３２は、受信した映像信号に対してＯＳＤ信号を重ね合わせるＯＳＤ処理を行う。表示処理部１３２は、ＯＳＤ処理を施した映像信号をディスプレイ１３３に出力する。また、表示処理部１３２は、制御部１５０からの制御に基づいて、ディスプレイ１３３に出力する映像信号に対して画質調整を行う。
【００２４】
ディスプレイ１３３は、例えば、液晶表示装置、有機ＥＬディスプレイ、または映像信号に応じて映像を表示することができる他の表示装置などを備える表示手段である。ディスプレイ１３３は、供給される映像信号に基づいて映像を表示する。
【００２５】
なお、映像再生装置１００は、ディスプレイ１３３の代わりに、映像信号を外部に出力する映像出力端子を備える構成であってもよい。この場合、映像再生装置１００は、映像出力端子に接続される表示手段に映像信号を出力する。
【００２６】
制御部１５０は、映像再生装置１００の各部の動作を制御する制御手段として機能する。制御部１５０は、ＣＰＵ１５１、ＲＯＭ１５２、ＲＡＭ１５３、及びＥＥＰＲＯＭ１５４などを備えている。制御部１５０は、操作入力部１６１から供給される操作信号に基づいて、種々の処理を行う。
【００２７】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００２８】
ＲＯＭ１５２は、映像再生装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００２９】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３０】
ＥＥＰＲＯＭ１５４は、各種の設定情報、及びプログラムなどを記憶する不揮発性メモリである。
【００３１】
操作入力部１６１は、例えば、操作キー、キーボード、マウス、タッチパッドまたは操作入力に応じて操作信号を生成する事ができる他の入力装置などを備える入力手段である。例えば、操作入力部１６１は、操作入力に応じて操作信号を生成する。操作入力部１６１は、生成した操作信号を制御部１５０に供給する。
【００３２】
なお、タッチパッドは、静電センサ、サーモセンサ、または他の方式に基づいて位置情報を生成するデバイスを含む。また、操作入力部１６１は、ディスプレイ１３３と一体に形成されるタッチパネルなどを備える構成であってもよい。
【００３３】
受光部１６２は、例えば、リモートコントローラ１６３からの操作信号を受信するセンサなどを備える。受光部１６２は、受信した操作信号を制御部１５０に供給する。
【００３４】
カードコネクタ１６４は、例えば、動画コンテンツを記憶するメモリカード１６５と通信を行う為のインターフェースである。カードコネクタ１６４は、接続されるメモリカード１６５から動画のコンテンツデータを読み出し、制御部１５０に供給する。
【００３５】
ＵＳＢコネクタ１６６は、ＵＳＢ機器１６７と通信を行う為のインターフェースである。ＵＳＢコネクタ１６６は、接続されるＵＳＢ機器１６７から供給される信号を制御部１５０に供給する。
【００３６】
例えば、ＵＳＢ機器１６７がキーボードなどの操作入力機器である場合、ＵＳＢコネクタ１６６は、操作信号をＵＳＢ機器１６７から受け取る。ＵＳＢコネクタ１６６は、受け取った操作信号を制御部１５０に供給する。この場合、制御部１５０は、ＵＳＢコネクタ１６６から供給される操作信号に基づいて種々の処理を実行する。
【００３７】
また、例えば、ＵＳＢ機器１６７が動画のコンテンツデータを記憶する記憶装置である場合、ＵＳＢコネクタ１６６は、コンテンツをＵＳＢ機器１６７から取得する。ＵＳＢコネクタ１６６は、取得したコンテンツを制御部１５０に供給する。
【００３８】
ディスクドライブ１７０は、例えば、コンパクトディスク（ＣＤ）、ディジタルバーサタイルディスク（ＤＶＤ）、ブルーレイディスク（ＢＤ）、または動画のコンテンツデータを記録可能な他の光ディスクＭを装着可能なドライブを有する。ディスクドライブ１７０は、装着される光ディスクＭからコンテンツを読み出し、読み出したコンテンツを制御部１５０に供給する。
【００３９】
電源部１８０は、映像再生装置１００の各部に電力を供給する。電源部１８０は、ＡＣアダプタ１８１を介して供給される電力を変換し各部へ供給する。また、電源部１８０は、バッテリーを備えていても良い。この場合、電源部１８０は、ＡＣアダプタ１８１を介して供給される電力をバッテリーに充電する。また、電源部１８０は、バッテリーに充電されている電力を映像再生装置１００の各部に供給する。
【００４０】
また、映像再生装置１００は、さらに他のインターフェースを備えていても良い。インターフェースは、例えば、Ｓｅｒｉａｌ−ＡＴＡ、ＬＡＮポート、ＨＤＭＩ端子などである。映像再生装置１００は、インターフェースにより接続される機器に記録されているコンテンツを取得し、再生することができる。また、映像再生装置１００は、再生した音声信号及び映像信号を、インターフェースにより接続される機器に出力することが出来る。
【００４１】
また、映像再生装置１００がインターフェースを介してネットワークに接続される場合、映像再生装置１００は、ネットワーク上の動画のコンテンツデータを取得し、再生することができる。
【００４２】
またさらに、映像再生装置１００は、ハードディスク（ＨＤＤ）、ソリッドステイトディスク（ＳＳＤ）、または半導体メモリなどの記憶装置を備えていても良い。この記憶装置が動画のコンテンツデータを記憶する場合、映像再生装置１００は、この記憶装置に記憶されているコンテンツを読み出し、再生することが出来る。また、映像再生装置１００は、この記憶装置に例えば放送信号、またはネットワークなどにより供給されるコンテンツを記憶することができる。
【００４３】
図３は、図２に示す制御部１５０の構成例について説明するための説明図である。
【００４４】
図３に示すように、制御部１５０は、範囲選択部１５５、画質調整部１５６、拡大表示部１５７、移動処理部１５８、及び自動範囲選択部１５９を備える。
【００４５】
範囲選択部１５５は、操作入力部１６１、または受光部１６２から入力される操作信号に基づいて、ディスプレイ１３３に表示する画面上における範囲を選択範囲として選択する。範囲選択部１５５は、例えば選択範囲を示す情報をＲＡＭ１５３などに一時的に記憶する。
【００４６】
画質調整部１５６は、範囲選択部１５５により選択された選択範囲と、予め設定される設定値とに基づいて、画質調整を行うように表示処理部１３２に対して制御信号を送信する。即ち、画質調整部１５６は、範囲選択部１５５により選択された選択範囲に対して画質調整を行うように表示処理部１３２に対して制御信号を送信する。
【００４７】
画質調整部１５６は、例えば、選択範囲の映像に対してハイコントラスト化を行う。即ち、画質調整部１５６は、選択範囲の映像のコントラストを上げる、２値化する、または極端な色づけを行う。また、例えば、画質調整部１５６は、例えば、選択範囲の映像に対してエッジ強調を行う。これにより、画質調整部１５６は、選択範囲に文字が含まれる場合に文字の視認性を高くする画質調整を行うように表示処理部１３２に対して制御信号を送信する。
【００４８】
なお、ＥＥＰＲＯＭ１５４、または他の記憶領域は、画質調整部１５６におけるハイコントラスト化またはエッジ強調などの画質調整処理に用いる設定値を予め記憶する。画質調整部１５６は、上記の設定値を読み出し、読み出した設定値に基づいて表示処理部１３２に出力する制御信号を生成する。なお、画質調整部１５６は、操作入力部１６１、または受光部１６２から供給される操作信号に基づいて画質調整処理に用いる値を決定する構成であってもよい。
【００４９】
拡大表示部１５７は、範囲選択部１５５により選択された選択範囲と、予め設定される設定値とに基づいて、選択範囲の映像の拡大を行うように表示処理部１３２に対して制御信号を送信する。拡大表示部１５７は、範囲選択部１５５により選択された選択範囲の映像を、予め設定される設定値に基づく倍率で拡大する。
【００５０】
なお、ＥＥＰＲＯＭ１５４、または他の記憶領域は、拡大表示部１５７における映像の拡大処理に用いる設定値を予め記憶する。拡大表示部１５７は、上記の設定値を読み出し、読み出した設定値に基づいて表示処理部１３２に出力する制御信号を生成する。なお、拡大表示部１５７は、操作入力部１６１、または受光部１６２から供給される操作信号に基づいて拡大処理に用いる倍率を決定する構成であってもよい。
【００５１】
移動処理部１５８は、画質調整、及び／または、拡大表示を行った選択範囲の画像を、操作入力部１６１、または受光部１６２から供給される操作信号に基づいて画面上で移動させる処理を行う。即ち、移動処理部１５８は、入力される操作信号に基づいて選択範囲の画像を移動させる方向、移動距離を認識する。移動処理部１５８は、認識した方向、移動距離に基づいて選択範囲の画像を移動させる。この場合、移動処理部１５８は、選択範囲の画像を移動先の画像上に表示させる。
【００５２】
自動範囲選択部１５９は、ディスプレイ１３３に表示する画面上において文字を検出する。自動範囲選択部１５９は、ディスプレイ１３３に出力する映像信号において、例えばパターン認識などの文字認識処理を行うことにより、画面に含まれる文字を検出する。なお、文字を検出する為の方法は、パターン認識によらず、如何なるものであっても良い。また、自動範囲選択部１５９は、検出した隣り合う文字の位置に基づいて、文字列を検出する構成であってもよい。
【００５３】
自動範囲選択部１５９は、文字の検出結果に基づいて、自動的に範囲の選択を行う。例えば、自動範囲選択部１５９は、検出した文字または文字列を含む範囲を選択範囲として選択する。自動範囲選択部１５９は、例えば、検出した文字列を含む矩形状の範囲を選択範囲として選択する。また、自動範囲選択部１５９は、例えば、検出する文字毎に範囲を選択する構成であってもよい。
【００５４】
図４は、図２に示す映像再生装置１００の処理について説明する為のフローチャートである。
【００５５】
映像再生装置１００の制御部１５０は、放送信号、メモリカード１６５、ＵＳＢ機器１６７、光ディスクＭ、またはネットワーク上から供給されるコンテンツの再生を開始する場合、図４に示す一連の処理を開始する。この場合、映像再生装置１００は、例えば、図５に示すような画面をディスプレイ１３３に表示する。
【００５６】
制御部１５０は、ステップＳ１１で、ディスプレイ１３３により表示される画面の範囲を選択する操作信号の入力の有無を判断する。
【００５７】
範囲を選択する操作信号の入力を確認する場合、制御部１５０は、ステップＳ１２で、入力された操作信号が示す範囲を選択範囲として選択する。この場合、制御部１５０は、図６に示すように、ユーザによる操作入力に基づいて、選択範囲６０１を選択する。制御部１５０は、例えば選択範囲６０１を示す情報をＲＡＭ１５３などに一時的に記憶する。
【００５８】
ステップＳ１３で、制御部１５０は、選択した選択範囲６０１の画像に対して画質調整を行う。即ち、制御部１５０は、ＲＡＭ１５３に記憶した選択範囲６０１を示す位置情報に基づいて映像信号中の選択範囲６０１の位置を特定する。制御部１５０は、ＥＥＰＲＯＭ１５４、または他の記憶領域に予め記憶される設定値を読み出し、読み出した設定値に基づいて選択範囲６０１の画像の調整を行う。
【００５９】
例えば、制御部１５０は、選択範囲６０１の映像に対してハイコントラスト化を行う。この場合、映像再生装置１００は、例えば図７に示すような画面をディスプレイ１３３に表示する。図７が示す画面は、ハイコントラスト化（２値化）されて表示される選択範囲６０１の画像を含む。
【００６０】
また、制御部１５０は、例えば、選択範囲６０１の映像に対してエッジ強調を行う。これにより、制御部１５０は、選択範囲６０１に文字が含まれる場合に文字の視認性を高くする画質調整を行う。なお、制御部１５０は、操作入力部１６１、または受光部１６２から供給される操作信号に基づいて画質調整処理に用いる値を決定する構成であってもよい。
【００６１】
また、制御部１５０は、ステップＳ１４で、拡大表示を指示する操作信号の入力の有無を確認する。制御部１５０は、拡大表示を指示する操作信号の入力を確認する場合、ステップＳ１５で、選択範囲６０１の映像の拡大表示を行う。即ち、制御部１５０は、ＥＥＰＲＯＭ１５４、または他の記憶領域に予め記憶される設定値を読み出し、読み出した設定値に基づく倍率で選択範囲６０１の画像の拡大表示を行う。この場合、映像再生装置１００は、図８に示すような画面をディスプレイ１３３に表示する。図８が示す画面は、拡大されて表示される選択範囲６０１の画像を含む。
【００６２】
なお、制御部１５０は、操作入力部１６１、または受光部１６２から供給される操作信号に基づいて拡大処理に用いる倍率を決定する構成であってもよい。
【００６３】
また、ステップＳ１４で拡大表示を指示する操作信号の入力が確認されない場合、制御部１５０は、ステップＳ１６に移行する。
【００６４】
制御部１５０は、ステップＳ１６で、選択範囲６０１の画像を移動させる操作信号の有無を確認する。制御部１５０は、選択範囲６０１の画像を移動させる操作信号の入力を確認する場合、ステップＳ１７で、選択範囲６０１の画像の移動処理を行う。即ち、制御部１５０は、入力される操作信号に基づいて選択範囲６０１の画像を移動させる方向、移動距離を認識する。制御部１５０は、認識した方向、移動距離に基づいて選択範囲６０１の画像を移動させる。この場合、制御部１５０は、例えば図９に示すように、選択範囲６０１の画像を移動先の画像上に表示させる。
【００６５】
また、ステップＳ１６で選択範囲６０１の画像を移動させる操作信号の入力が確認されない場合、制御部１５０は、ステップＳ１８に移行する。
【００６６】
制御部１５０は、ステップＳ１８で、範囲を選択する操作信号の入力から予め設定される所定時間が経過したか否かを判断する。
【００６７】
ステップＳ１８で、範囲を選択する操作信号の入力から予め設定される所定時間が経過していないと判断する場合、制御部１５０は、ステップＳ１９で、選択範囲６０１の画像が変化したか否か判断する。
【００６８】
即ち、制御部１５０は、１つ、または所定数前のフレームの選択範囲６０１の画像と、現在のフレームの選択範囲６０１の画像と、を比較する。制御部１５０は、例えば、１つ、または所定数前のフレームの選択範囲６０１の画像と、現在のフレームの選択範囲６０１の画像とで類似度を算出する。制御部１５０は、算出した類似度が予め設定される所定値以上である場合、選択範囲６０１の画像が変化したと判断する。また、制御部１５０は、算出した類似度が予め設定される所定値未満である場合、選択範囲６０１の画像が変化していないと判断する。
【００６９】
ステップＳ１９で選択範囲６０１の画像が変化していないと判断する場合、制御部１５０は、ステップＳ１３にループする。例えば、ステップＳ１３からステップＳ１９の間に画質を調整する操作信号が入力される場合、制御部１５０は、入力された操作信号に基づいて選択範囲６０１の画像の画質調整を行う。
【００７０】
また、ステップＳ１８で範囲を選択する操作信号の入力から予め設定される所定時間が経過したと判断する場合、またはステップＳ１９で選択範囲６０１の画像が変化したと判断する場合、制御部１５０は、ステップＳ２０で、範囲の選択を解除し、処理を終了する。即ち、制御部１５０は、選択範囲６０１の移動、画質調整、及び拡大表示を解除する。これにより、文字が表示されていない範囲に対して、画質調整、または拡大表示などを行うことを防ぐことができる。
【００７１】
また、制御部１５０は、選択範囲を解除する操作信号が操作入力部１６１、または受光部１６２から入力される場合に範囲の選択を解除する構成であってもよい。
【００７２】
上記したように、本実施形態に係る映像再生装置１００は、操作信号に基づいて選択範囲を特定し、コンテンツの映像中の選択範囲の画像に対して、所定の画像処理を行う。これにより、映像再生装置１００は、ユーザが見辛いと判断した範囲の画像の視認性を高める事ができる。
【００７３】
また、映像再生装置１００は、選択範囲の画像が変化したと判断する場合、範囲の選択を解除する。これにより、不要な画質調整及び拡大表示などを防ぐことができる。
【００７４】
また、映像再生装置１００は、選択範囲の画像の表示位置を操作信号に応じて移動させる。これにより、ユーザは、選択範囲の画像を画面中の任意の位置に移動させることができる。
【００７５】
また、映像再生装置１００は、コンテンツの映像中から文字を検出し、検出した文字を含む範囲を選択範囲として選択する。これにより、コンテンツの映像中の文字の視認性を自動的に高めることが出来る。
【００７６】
この結果、よりユーザの利便性を向上させることが出来る映像再生装置、及び映像再生方法を提供することができる。
【００７７】
なお、この発明は、上記した実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００７８】
上記した実施形態では、ワンセグ放送信号を受信する例について説明したが、この構成に限定されない。映像再生装置１００は、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号により供給されるコンテンツを再生する場合であっても上記実施形態を実現することが出来る。
【００７９】
また、上記した実施形態では、映像再生装置１００は、アンテナ１１０により放送信号を受信する構成として説明したが、この構成に限定されない。例えば、映像再生装置１００は、アンテナ１１０の代わりに放送信号を入力可能な入力端子を備えていても良い。
【符号の説明】
【００８０】
１００…映像再生装置、１１０…アンテナ、１１１…チューナ、１１２…復調部、１１３…信号処理部、１２１…音声処理部、１２２…音声出力端子、１２３…スピーカ、１３１…映像処理部、１３２…表示処理部、１３３…ディスプレイ、１５０…制御部、１５１…ＣＰＵ、１５２…ＲＯＭ、１５３…ＲＡＭ、１５４…ＥＥＰＲＯＭ、１５５…範囲選択部、１５６…画質調整部、１５７…拡大表示部、１５８…移動処理部、１５９…自動範囲選択部、１６１…操作入力部、１６２…受光部、１６３…リモートコントローラ、１６４…カードコネクタ、１６６…ＵＳＢコネクタ、１６８…通信インターフェース、１７０…ディスクドライブ、１８０…電源部。
【図１】
2011259303.tif 000003
【図２】
2011259303.tif 000004
【図３】
2011259303.tif 000005
【図４】
2011259303.tif 000006
【図５】
2011259303.tif 000007
【図６】
2011259303.tif 000008
【図７】
2011259303.tif 000009
【図８】
2011259303.tif 000010
【図９】
2011259303.tif 000011